(57)【要約】【課題】従来、小物掛け用の掛渡し部材（ワーク）の取り付けは、端部がビス止めや、カギ状になっており、製造や取付け、取付け後の修正に時間や労力が掛かる欠点があった。【解決手段】壁面Ｗ等に設けられた被係止部材６に係止可能な係止部３と、掛渡し部材５の挿入端部５０が挿入可能な保持孔２０が形成された保持部２とを有してなる収納用部材７の保持クリップ１であって、保持部２の保持孔２０が、壁面Ｗとほぼ直角方向を向いて形成されるとともに、長細い形状の端面５１を有する掛渡し部材５の挿入端部５０が複数の異なる角度で挿入可能な孔の形状に形成されている収納用部材７の保持クリップ１、及び  その保持クリップ１の保持孔２０に複数の異なる角度で挿入可能な長細い形状の端面５１を有する板状体からなる挿入端部５０を両端に有する掛渡し部材５とからなる収納用部材７による。【選択図】  図１
2008119041.tif 000002
【特許請求の範囲】
【請求項１】
壁面等に設けられた被係止部材に係止可能な係止部と、壁面とほぼ平行に掛け渡される掛渡し部材の挿入端部が挿入可能な保持孔が形成された保持部とを有してなる収納用部材の保持クリップであって、
保持部の保持孔が、壁面とほぼ直角方向を向いて形成されるとともに、長細い形状の端面を有する掛渡し部材の挿入端部が複数の異なる角度で挿入可能な孔の形状に形成したことを特徴とする収納用部材の保持クリップ。
【請求項２】
壁面等に設けられた被係止部材に係止可能な係止部と、壁面とほぼ平行に掛け渡される掛渡し部材の挿入端部が挿入可能な保持孔が形成された保持部とを有してなる収納用部材の保持クリップであって、
保持部の保持孔が、壁面とほぼ直角方向を向いて形成されるとともに、長細い形状の端面を有する掛渡し部材の挿入端部が複数の異なる角度で挿入可能な孔の形状に形成した収納用部材の保持クリップと、
保持クリップの保持孔に複数の異なる角度で挿入可能な長細い形状の端面を有する板状体からなる挿入端部を両端に有する掛渡し部材とからなることを特徴とする収納用部材。
【請求項３】
保持クリップの保持孔が、壁面とほぼ直角方向を向いて両面に形成されるとともに、少なくとも掛渡し部材の板状体である挿入端部が垂直方向及び水平方向及びその中間の斜め角度方向の角度で挿入可能な保持孔である請求項１の保持クリップ又は請求項２に記載の収納用部材。
【発明の詳細な説明】
【技術分野】
【０００１】
この発明は、主に室内の収納箱などの収納装置に取り付けられる収納用部材及びそれに使用する保持クリップに関する。詳細にはスリッパ掛け、ネクタイ掛け、小物入れ、傘立て等の室内具を掛けるための収納用部材であり、掛け渡し部材（ワーク）を棚柱等の被係止部材に取り付ける保持クリップ及びそれを使用した収納用部材に関する。
【背景技術】
【０００２】
主に住宅内の玄関箱、収納ケース等に設けられる収納用部材としては、通常、棚柱を扉内側に平行に縦方向に２本固定し、棚柱の縦方向に適宜間隔を空けて設けた棚受け孔の幾つかに、棚受けを係止させ、この棚受けに棚板を乗せて収納する棚板に限定した収納用部材と、スリッパ掛け、小物入れ、傘立て等の室内具を掛ける収納用部材の２つの限定した収納用部材が知られている。
【０００３】
このうちスリッパ掛け、小物入れ、傘立て等の室内具を掛ける収納用部材では、多様な用途、多様な形状の棒状体の中間に小物掛け部材を取り付けたり、小物掛け形状に形成した掛渡し部材の両端部をカギ状に曲げて棚柱の棚受け孔に係止させる収納用部材が知られている。
【０００４】
また、玄関の収納等に限定したスリッパ掛け、小物入れ、傘立て等の室内具を掛ける収納用部材では、棚柱を使用しないで、掛渡し部材の棒状の端部を曲げて、そこにビス孔を設け直に収納箱の扉の裏側にビスで止める収納用部材が知られていた。
【発明の開示】
【発明が解決しようとする課題】
【０００５】
しかし、従来のように、例えば収納ケースの扉の裏側に設けられるスリッパ掛け、小物入れ、傘立て等の室内具を掛ける収納用部材は、長さが限定された掛渡し部材の両端部のカギ状部を棚柱の棚受け孔に係止させるため、固定される２つの棚柱の平行間隔の精度が高く求められていた。平行間隔が少しでもずれると、掛渡し部材の両端部のカギ状部を、上下のいずれかで棚柱の棚受け孔に係止させることができなくなる。
【０００６】
しかし、実際に取り付ける棚柱は、それぞれ１本ずつ狭い玄関の収納箱に取付け固定させるため、平行に取り付けるのは非常な時間がかかり、作業の熟練性が必要とされた。もし平行で無いと上下のいずれかの収納用部材が、棚柱の棚受け孔に係止させることができず、再度棚柱の取り付けをやり直すことが必要になる課題があった。
【０００７】
また、ビスによって扉の裏側へ固定してしまう収納用部材では、設置後に位置を変えたいと思っても簡単にできず、扉にビス孔を開けてしまう課題があった。また、取付け時に収納用部材の水平の確保も難しく時間が掛かる作業である課題があった。
【０００８】
更にまた、収納用部材の掛渡し部材の両端部のカギ状部は、その形状をカギ型に曲げる加工工程が一つ一つに必要であり、ビス止めに加工するためにも曲げとビス孔加工等の比較的複雑な工程を必要とされた課題があった。
【課題を解決するための手段】
【０００９】
上記の課題を解決するために、壁面等に設けられた被係止部材に係止可能な係止部と、壁面とほぼ平行に掛け渡される掛渡し部材の挿入端部が挿入可能な保持孔が形成された保持部とを有してなる収納用部材の保持クリップであって、
保持部の保持孔が、壁面とほぼ直角方向を向いて形成されるとともに、長細い形状の端面を有する掛渡し部材の挿入端部が複数の異なる角度で挿入可能な孔の形状に形成したことを特徴とする収納用部材の保持クリップを提案する。
【００１０】
また、壁面等に設けられた被係止部材に係止可能な係止部と、壁面とほぼ平行に掛け渡される掛渡し部材の挿入端部が挿入可能な保持孔が形成された保持部とを有してなる収納用部材の保持クリップであって、
保持部の保持孔が、壁面とほぼ直角方向を向いて形成されるとともに、長細い形状の端面を有する掛渡し部材の挿入端部が複数の異なる角度で挿入可能な孔の形状に形成した収納用部材の保持クリップと、
保持クリップの保持孔に複数の異なる角度で挿入可能な長細い形状の端面を有する板状体からなる挿入端部を両端に有する掛渡し部材とからなることを特徴とする収納用部材を提案する。
【００１１】
更に、０００９欄記載の保持クリップ又は００１０欄記載の収納用部材の保持クリップの保持孔が、壁面とほぼ直角方向を向いて両面に形成されるとともに、少なくとも掛渡し部材の板状体である挿入端部が垂直方向及び水平方向及びその中間の斜め角度方向の角度で挿入可能な保持孔である保持クリップ又は収納用部材を提案する。
【発明の効果】
【００１２】
この発明によれば、壁面等に設けられた被係止部材、例えば棚柱の間隔が正確な平行から多少ずれている状態であっても、保持部の保持孔が、壁面とほぼ直角方向を向いて形成されているため掛渡し部材の挿入端部の挿入の深さで調節することが可能になった。
【００１３】
また、保持部の保持孔が、壁面とほぼ直角方向を向いて形成されるとともに、長細い形状の端面を有する掛渡し部材の挿入端部が複数の異なる角度で挿入可能な孔で形成されているため、掛渡し部材の向きを複数に挿入できるため掛渡し部材に設けられる小物などを掛ける向きを変更することが容易にできる。そのため、天井の様に垂直面でない壁面であっても、被係止部材や係止孔があれば、そこに保持クリップを適宜間隔で係止し、保持孔の複数の異なる角度の向きを選択することによって掛渡し部材の向きを変えて調整することができる。
【００１４】
また、従来技術のように掛渡し部材の両端部をカギ状に曲げて棚柱の棚受け孔に係止させる収納用部材であった場合や、ビスによって扉の裏側へ固定してしまう収納用部材である場合は、それぞれ掛渡し部材の両端部をカギ状やビス止めを形成するための工程が必要であったが、この発明ではそのような複雑な形状加工工程を省くことが可能になった。すなわち、従来は掛渡し部材の両端部を数回に亘ってプレスで曲げ加工を行っていたが、この発明の保持クリップを使用することにより、それらの工程を省くことができ掛渡し部材の生産性が向上した。
【００１５】
更に、請求項３に記載の保持クリップであると、保持孔が、壁面とほぼ直角方向を向いて両面に形成されているため、掛渡し部材を同じ方向に数個適宜数の連設が可能になり、掛渡し部材の種類により多種多様な収納用部材が容易に組み立てることができる。
【発明を実施するための最良の形態】
【００１６】
この発明について保持クリップの一つの実施形態を示す図１乃至図５、保持クリップの他の実施形態を示す図６、この発明の保持クリップを使用した収納用部材を示す図７乃至図１０、この発明の収納用部材の他の実施形態を示し、保持クリップに掛渡し部材の挿入端部を挿入した状態を示す説明図である図１１、この発明の掛渡し部材を保持クリップに取り付ける状態を示す挿入説明図である図１２及び図１３に基づいて説明する。
【００１７】
この発明の保持クリップ１は、合成樹脂材等で形成され後枠８０と上枠８１と、前斜枠８２とからなる枠体８と、枠体８の後面８０に設けられ壁面Ｗ等に設けられた被係止部材である棚柱６に係止可能な係止部３と、上枠８１の前側と前斜枠８２の前側に設けられ壁面Ｗとほぼ平行に掛け渡される掛渡し部材５の挿入端部５０が挿入可能な保持孔２０が形成された保持部２とを有してなる。図１乃至図５は、前斜枠８２に引掛部４を設けた実施形態であり、引掛部４は、独立して小物などを掛け止めする部分である。図６は、前斜枠８２に引掛部４を設けていない実施形態である。
【００１８】
保持クリップ１の保持部２は、壁面Ｗとほぼ直角方向を向いている左右両面に保持面２１を有しており、左右の保持面２１の間隔（幅）は、この実施例では２０ｍｍ程度であり、外周は円形に形成される。保持面２１の外周は円形でなくてもよい。
【００１９】
保持クリップ１の保持部２の保持孔２０は、保持面２１のそれぞれ左右両面に開口して形成される。この実施形態では左右の保持孔２０は、中間に設けられる隔壁２２で隔てられているが、他の実施形態では左右の保持孔２０は連通してもよい。保持孔２０の保持面２１の形状は、細長い形状の端面５１を有する掛渡し部材５の挿入端部５０が複数の異なる角度で挿入可能な孔の形状に形成されている。
【００２０】
保持クリップ１の保持孔２は、この実施形態では、開口形状が長細い形状である長方形孔を、円中央部を中心にそれぞれ回転させて、少なくとも保持面２１の円中心を通り垂直方向の長方形孔と、水平方向の長方形孔と、その中間の４５度ずつずれた斜め角度方向の長方形孔の４種類の長方形孔で形成されている。
【００２１】
壁面Ｗ等に設けられた被係止部材である棚柱６は、縦方向に適宜の間隔を空けて設ける係止孔６０を有している。保持クリップ１は、縦長の後面に上下２つ設けられた係止部３を棚柱６の係止孔６０に挿入して係止される。保持クリップ１の係止部３は、１つでも可能であるが、通常は上下２つ以上設けられる。この実施例では、被係止部材を棚柱６としたが棚柱以外の部材でも係止部３が係止可能な部材ならよく、壁面Ｗに直接設けられた孔や突起などに係止することも可能である。
【００２２】
次にこの発明の保持クリップを使用した収納用部材７について説明する。この発明の実施形態である収納用部材７は、上述の説明にある保持クリップ１と、掛渡し部材５とからなる。
【００２３】
掛渡し部材５は、主部を棒状体５２で形成し、中間部分に適宜数の曲げや、取付け部材などを設けて小物掛け部５３を形成するとともに、棒状体５２の両端部に挿入端部５０を形成する。小物掛け部５３は、図７或いは図８，図９に示されるようにデザインは用途によって様々である。掛渡し部材５の挿入端部５０は、保持クリップ１の保持孔２０に複数の異なる角度で挿入可能な長細い端面５１を有する板状体である。この実施例対では端面は、ほぼ長方形であり、保持孔２０のそれぞれの角度の異なる孔の１つに対応している。
【００２４】
次にこの収納用部材７の組立方法の１つの実施形態について説明する。玄関の収納箱の扉の内壁面、又は室内の壁面、室内の天井面等の壁面Ｗに、被係止部材である棚柱６を２本以上間隔を、取付け予定の掛渡し部材５の長さに対応した間隔で平行に取り付ける。棚柱６の適宜高さの複数の棚受け孔６０に保持クリップ１の係止部３を係止させる。この状態で保持クリップ１の保持面２１は、壁面Ｗと直角方向を向いており、隣接する棚柱６の同じ高さに取り付けられる保持クリップ１の保持面２１も同様方向である。したがって２つの対向する保持面２１の保持孔２０に両端部の挿入端部５０を挿入して設けられる掛渡し部材５は、壁面Ｗと平行に設けられる。
【００２５】
保持面２１の保持孔２０は、細長い形状の端面５１を有する掛渡し部材５の挿入端部５０が複数の異なる角度で挿入可能な孔の形状に形成されている。
【００２６】
図示される実施形態の保持クリップ１の保持孔２は、開口形状が長細い形状である長方形孔を、円中央部を中心にそれぞれ４５度ずつ回転させて、少なくとも保持面２１の円中心を通り垂直方向の長方形孔と、水平方向の長方形孔と、その中間の４５度ずつずれた斜め角度方向の長方形孔の４種類の長方形孔で形成されている。したがって掛渡し部材５の小物掛け部５３が、上下対称でない形状の場合、挿入端部５０の挿入方向が１８０度ずれれば、掛渡し部材５の小物掛け部５３の位置が異なる状態で取り付けられ、掛渡し部材５は、保持クリップ１の保持孔２に８種類の向きで係止可能である。
【００２７】
更に、請求項３に記載の保持クリップ１であると、保持孔２０が両面に形成されているため、図１０に図示されるように掛渡し部材５を同じ方向に数個適宜数の連設が可能になり、同種形状の掛渡し部材５、異種形状の掛渡し部材５等の横方向への組合せにより多種多様な収納用部材７を容易に組み立てることができる。
【００２８】
更にまた、天井の様に垂直面でない壁面であっても、被係止部材や係止孔があれば、そこに係止部３によって保持クリップ１を適宜間隔で係止し、保持孔２０の複数の異なる角度の向きを選択することによって掛渡し部材５の小物掛け部５３の位置を調整することができる。
【産業上の利用可能性】
【００２９】
この発明は、主に室内の収納箱などの収納装置に設けられるスリッパ掛け、ネクタイ掛け、小物入れ、傘立て等の室内具を掛けるための収納用部材として使用できる。
【図面の簡単な説明】
【００３０】
【図１】この発明の保持クリップの一つの実施形態を示す側面図
【図２】図１の保持クリップの平面図
【図３】図１の保持クリップの正面図
【図４】図１の保持クリップの底面図
【図５】図１の保持クリップの後面図
【図６】この発明の保持クリップの他の実施形態を示す側面図
【図７】この発明の収納用部材の一つの実施形態を示し、一方の棚柱を除いた状態の正面図
【図８】この発明の収納用部材の掛渡し部の他の実施形態を示す平面図
【図９】図８の収納用部材の実施形態を示す正面図
【図１０】図７と図８の掛渡し部材を水平方向に連接した状態を示す正面図
【図１１】この発明の収納用部材の他の実施形態を示し、保持クリップに掛渡し部材の挿入端部を挿入した状態を示す説明図
【図１２】この発明の掛渡し部材を保持クリップに取り付ける状態を示す挿入説明図
【図１３】同じくこの発明の掛渡し部材を保持クリップに取り付ける状態を示す挿入説明図
【符号の説明】
【００３１】
１  保持クリップ
２  保持部
２０  保持孔
２１  保持面
２２  隔壁
３  係止部
４  引掛部
５  掛渡し部材
５０  挿入端部
５１  端面
５２  棒状体
５３  小物掛け部
６  棚柱（被係止部材）
６０  棚受け孔
７  収納用部材（保持クリップ、掛渡し部材）
８  枠体
８０  後枠
８１  上枠
８２  前斜枠
【図１】
2008119041.tif 000003
【図２】
2008119041.tif 000004
【図３】
2008119041.tif 000005
【図４】
2008119041.tif 000006
【図５】
2008119041.tif 000007
【図６】
2008119041.tif 000008
【図７】
2008119041.tif 000009
【図８】
2008119041.tif 000010
【図９】
2008119041.tif 000011
【図１０】
2008119041.tif 000012
【図１１】
2008119041.tif 000013
【図１２】
2008119041.tif 000014
【図１３】
2008119041.tif 000015